Podtech/llm-jp-corpus-v4-ja_patent huggingface dataset:
(57)【要約】      （修正有）【課題】一回の試行で所在不明確かつ立体的に生えている鼻毛を、痛覚に配慮しながらより確実に処理可能であると共に、抜去した鼻毛を明瞭に視覚化可能である鼻毛リムーバーを提供する。【解決手段】先端部１に配置された滑り止め加工の施されたスプリング２またはスプリング状のものを鼻腔内に挿入し、後端部４に配置した外筒部分及び指穴３を注射器に似た要領で使用することで完全に収縮させ、そのまま鼻腔内から抜去することで、鼻毛を確実に処理可能である。【選択図】図１
0003196826.tif 000002
【実用新案登録請求の範囲】
【請求項１】
スプリングまたはスプリング状のものを使用した鼻毛リムーバー。
【請求項２】
鼻腔内の粘膜を傷つけないよう配慮されている鼻毛リムーバーの先端部。
【請求項３】
鼻毛を抜去する際、モーターの振動により痛感を軽減する鼻毛リムーバー。
【請求項４】
滑り止めのための加工が施されている鼻毛リムーバーのスプリング。
【考案の詳細な説明】
【技術分野】
【０００１】
本考案は、より確実に鼻毛を処理するための鼻毛リムーバーに関するものである。
【先行技術文献】
【特許文献】
【０００２】
【特許文献１】特許公開２０１０−２５９６８６
【特許文献２】特許公開２０００−３４２３２７
【特許文献３】特許公開２００１−３２７３２２
【考案の概要】
【考案が解決しようとする課題】
【０００３】
多くの人々は美容のため、毛抜きを使用したり、専用のシェーバーを使用したりして鼻毛を処理している。しかし、毛抜きでは作業効率が低いし、鼻毛が立体的に生えており、かつ鼻腔前庭部のどこに生えているか判然としないため、場合によっては一本の鼻毛を処理することも困難である。また、シェーバーでは処理した鼻毛を視覚化できないので、どの程度確実に処理されているかわからないといった不安が残る。
【０００４】
そこで本考案では、一回の試行で所在不明確かつ立体的に生えている鼻毛を、痛覚に配慮しながらより確実に処理可能であること及び、抜去した鼻毛を明瞭に視覚化可能であることを課題とした。
【課題を解決するための手段】
【０００５】
滑り止め加工の施されたスプリングを鼻腔内に挿入し、示指、中指及び拇指を注射器に似た要領で使用することによりスプリングを完全に収縮させ、さらにモーターによりスプリングに振動を伝達させることができる簡単な構造によって本課題を解決する。
【図面の簡単な説明】
【０００６】
【図１】本考案の概念図である。先端部にはスプリングがはめ込まれており、その構造から示指と中指を指穴にかけ、後端部を拇指で押し出すことにより容易にスプリングを収縮させることができる。本体には、小型のモーターが搭載されており、スプリングが完全に収縮するとスイッチが入り作動する仕組みになっている。振動がスプリングに伝達され、抜去時の痛みを軽減させる。捉えた鼻毛を逃さないため、スプリングには滑り止めの加工が施されている。
【考案を実施するための形態】
【０００７】
本考案の使用者は、指穴に示指と中指をかけた状態で鼻腔内に先端部を挿入し、後端部を拇指で押し出す。スプリングが完全に収縮した状態になるとスイッチが入り、本体が振動するので、そのまま鼻腔内から本体を抜去する。
【符号の説明】
【０００８】
１  鼻腔内の粘膜を傷つけないようコーティングされている先端部
２  滑り止め加工の施されているスプリング
３  示指、中指を挿入する指穴
４  拇指で押し出す後端部
【図１】
0003196826.tif 000003
【手続補正書】
【提出日】平成27年2月9日(2015.2.9)
【手続補正１】
【補正対象書類名】実用新案登録請求の範囲
【補正対象項目名】全文
【補正方法】変更
【補正の内容】
【実用新案登録請求の範囲】
【請求項１】
先端部に配置された滑り止め加工の施されたスプリングまたはスプリング状のものを鼻腔内に挿入し、後端部に配置した外筒部分及び指穴を注射器に似た要領で使用することで完全に収縮させ、そのまま鼻腔内から抜去することで、鼻毛を確実に処理可能であることを特徴とした鼻毛リムーバー。
【手続補正２】
【補正対象書類名】明細書
【補正対象項目名】０００４
【補正方法】変更
【補正の内容】
【０００４】
そこで本考案では、一回の試行で所在不明確かつ立体的に生えている鼻毛を、より確実に処理可能であること及び、抜去した鼻毛を明瞭に視覚化可能であることを課題とした。
【手続補正３】
【補正対象書類名】明細書
【補正対象項目名】０００５
【補正方法】変更
【補正の内容】
【０００５】
滑り止め加工の施されたスプリングを鼻腔内に挿入し、示指、中指及び拇指を注射器に似た要領で使用することによりスプリングを完全に収縮させることができる簡単な構造によって本課題を解決する。
【手続補正４】
【補正対象書類名】明細書
【補正対象項目名】０００６
【補正方法】変更
【補正の内容】
【０００６】
【図１】本考案の概念図である。先端部にはスプリングがはめ込まれており、その構造から示指と中指を指穴にかけ、後端部を拇指で押し出すことにより容易にスプリングを収縮させることができる。捉えた鼻毛を逃さないため、スプリングには滑り止めの加工が施されている。
【手続補正５】
【補正対象書類名】明細書
【補正対象項目名】０００７
【補正方法】変更
【補正の内容】
【０００７】
本考案の使用者は、指穴に示指と中指をかけた状態で鼻腔内に先端部を挿入し、後端部を拇指で押し出し、そのまま鼻腔内から本体を抜去する。
(57)【要約】      （修正有）【課題】洗面台の洗面部にジャバラを刻設して小物を手洗いする際、手軽に洗え、汚れ落ちもよく、特に手が不自由な人でも便利で片手で手洗いする事が出来て、又手洗いした後、洗面器内の水でジャバラ刻設部を洗い流す事ができるようにしたジャバラ刻設洗面台を提供する。【解決手段】ホテルのユニット式や一般家庭に取り付けられている洗面台１の表面窪みの内側手前に少なくとも１カ所以上ジャバラ刻設した。本体洗面部にジャバラ刻設部は洗面部の両サイド２Ａ，２Ｃに刻設したが、洗面部の中央手前２Ｂに新たなジャバラ刻設部を刻設しても良い。本体洗面台構造成形時に簡単に制作でき、水もスムーズに流れる。【選択図】図１
0003196830.tif 000002
【実用新案登録請求の範囲】
【請求項１】
洗面台の洗面部の表面にジャバラを刻設したことを特徴とするジャバラ刻設洗面台。
【考案の詳細な説明】
【技術分野】
【０００１】本考案はホテルや家庭、その他の洗面台に取り付いている洗面器ユニット式などにジャバラ式の洗濯板を一体化で洗面器に設け、小物等例えば、ハンカチやパンツ等を手揉みする際、昔使用していた洗濯板イメージして利用し手軽に洗えるように工夫した洗面台に関する。
【背景技術】
【０００２】従来のユニット式洗面器は単に顔や手を洗うだけであった。
【考案が解決しようとする課題】
【０００３】例えば、旅行先に行った際にホテルの洗面器で小物等のハンカチやパンツ、靴下等手揉みで洗っているのが両手で洗ってもなかなか汚れが、落ちにくい。又、停電等があった場合に手さぐりで洗い物する事ができると大変便利な洗面台が必要とされている。
【課題を解決する為の手段】
【０００４】そこで本考案は、洗面台の洗面部にジャバラを刻設して小物を手洗いする際、手軽に洗え、汚れ落ちもよく、特に手が不自由な人でも便利で片手で手洗いする事が出来るようにした。
又手洗いした後、洗面器内の水でジャバラ刻設部を洗い流す事ができるようにしたジャバラ刻設洗面台である。
【考案の効果】
【０００５】小物例えば、ハンカチ、タオル、パンツ、くつ下等、洗面器で洗う際ジャバラ刻設部を利用すると汚れ落ちも良く、片手で簡単に手洗いする事が出来た。
【図面の簡単な説明】
【０００６】
【図１】本考案に係る実施例を示す洗面台の平面図
【考案を実施するための形態】
【０００７】本考案に係る具体的実施例を図１により説明する。
【実施例】
【０００８】本考案に係わる一実施例を説明すると、例えばホテルのユニット式や一般家庭に取り付けられている洗面台の１の表面窪みの内側手前に少なくとも１カ所以上ジャバラ刻設した。本実施例では本体洗面部にジャバラ刻設部は洗面部の両サイド２Ａ，２Ｃに刻設したが、波線で図示する如く新たなジャバラ刻設部を刻設しても良い。図中の符号３は水道蛇口、４は水の排水口を図示している。本体洗面台構造成形時に簡単に制作でき、水もスムーズに流れる。
【産業上の利用可能性】
【０００９】本考案は、ユニット式洗面台や、その他家庭における洗面台本体と一体化した洗面台で手軽に洗える。特にホテルやリハビリテーション、ジム等で利用できるものである。
【符号の説明】
【００１０】  １  洗面台本体
２Ａ  ジャバラ刻設部（洗面部と一体化）
２Ｂ  ジャバラ刻設部（洗面部と一体化）
２Ｃ  ジャバラ刻設部（洗面部と一体化）
３  水道蛇口
４  排水口
【図１】
0003196830.tif 000003
(57)【要約】      （修正有）【課題】電動で足底部を背屈させる機能が付帯したオットマンスツールを提供する。【解決手段】上面１の一部を一辺を支点として箱蓋状に開放し、蓋の部分を、電動でリモートコントローラー２により駆動し、足台３に乗せた足底部を背屈することを特徴とする。【選択図】図１
0003196975.tif 000002
【実用新案登録請求の範囲】
【請求項１】
上面の一部を一辺を支点として箱蓋状に開放し、蓋の部分を、電動でリモートコントローラーにより足底部を背屈するために利用可能なオットマンスツール。
【考案の詳細な説明】
【技術分野】
【０００１】
本考案は、電動で足底部を背屈させる機能が付帯したオットマンスツールに関するものである。
【背景技術】
【０００２】
オットマンスツールは、インテリア学辞典によれば、「現代において、主に休息時の姿勢を楽にするために足を載せる台またはスツールのこと」とされており、わが国でも足台、フットレスト、フットスツール、オットマン等と呼称され、広く用いられている。オットマンスツールを使用するとき、多くの人々は、リラックスした状態でリクライニングチェアなどに深く腰掛け、投げ出すように足をオットマンスツールに載せる。この姿勢は良肢位に近く、大変心地よい。
【先行技術文献】
【特許文献】
【０００３】
【特許文献１】特許公開２００９−２９７３７１
【特許文献２】特許公開２００６−３０５２４９
【特許文献３】特許公開２００６−４２８６６
【特許文献４】特許公開平１０−２７７１０７
【特許文献５】特許公開平７−２７５３９８
【特許文献６】登録実用新案第３１４０１８６号
【非特許文献】
【０００４】
【非特許文献１】小原  二郎／所  荘吉／渡辺  優／國吉  惠梨子  [編・著]  「インテリア学辞典」  壁紙材料協会  発行、1995年３月10日、ｐ．15、ｐ．143
【非特許文献２】中村  耕三  著  「ロコモティブシンドローム（運動器症候群）」  日本老年医学会雑誌、49巻4号、ｐ．393
【非特許文献３】福永  哲夫  編  「筋の科学辞典  −構造・機能・運動ー」  朝倉  邦造  発行、  2002年11月10日、ｐ．478−479
【考案の概要】
【考案が解決しようとする課題】
【０００５】
日本は超高齢化社会を迎えて久しく、加齢が関係する運動器疾患が急増している。これらの疾患は人の歩行、移動に関わるものが多く、日常生活の制限、生活の質への影響が大きく、要支援、要介護の主な原因のひとつとなっている。
【課題を解決するための手段】
【０００６】
私たちの筋肉は、他の軟部組織と同様に粘弾性体であり、持続的に牽引力を加えながら張力を一定に保つと、必要となる牽引力が減少するという反応を示す。このことから、ストレッチングにより筋力の伸張性を十分に高めることができ、障害の予防につなげることができると考えられている。そこで、電動で緩徐に足底部を背屈させる機能を付帯させたオットマンを考案する。このことにより、安楽な姿勢で下腿深層の後脛骨筋、長趾屈筋、長母趾屈筋に一定の張力を加えることを可能とし、加齢が関係する運動器疾患の発生頻度を抑え、もって私たちの生活の質を向上させ、健康寿命を伸長する。
【考案の効果】
【０００７】
考案の使用者は、天板部分を開放した状態で足関節部を載せ、リモートコントローラーで天板部分を操作する。天板部分は踵部を支点とし、電動で緩徐に足底を背屈させる。使用者は心地よいと感じられる角度で天板部分の動きを停止させ、ストレッチングを実施する。
【図面の簡単な説明】
【０００８】
【図１】本考案の概念図である。丸みを帯びた形状で、皮革や布といった柔らかい素材が用いられており、通常はオットマンスツールとして機能する。天板部分を開放すると、リモートコントローラーにより足底を背屈させることができるようになっている。
【図２】本考案の実施の方法である。
【考案を実施するための形態】
【０００９】
考案の使用者は、天板部分を閉鎖した状態でオットマンとして用いることもできるし、天板部分を開放した状態で足関節部を載せ、リモートコントローラーで天板部分を操作し、ストレッチングを実施することもできる。天板部分は踵部を支点とし、電動で緩徐に足底を背屈させる。使用者は心地よいと感じられる角度で天板部分の動きを停止させ、ストレッチングを実施する。
【符号の説明】
【００１０】
１  オットマン上面に設けられた天板部分
２  天板部分を操作するリモートコントローラー
３  足関節部を載せる足台部分
【図１】
0003196975.tif 000003
【図２】
0003196975.tif 000004
(57)【要約】      （修正有）【課題】既設コンセント等の端子などの充電部が、塵などにより絶縁不良を起こし火災が生じる危険性を防止する保護キャプを提供する。【解決手段】既設コンセントの受け口に被さる大きさの大孔３を有するコップ型の収縮性のあるゴムキャプ１からなり、底の部分に電源差込プラグが挿入できる程度の突起部孔２を設ける。その孔に既設電源コード付の差込プラグを挿入し、プラグを既設コンセント受け口に差込み、拳に被さっているゴムキャプを裏返して既設コンセントに被せ、コンセントの受け口と差し込んだ電源プラグとの隙間に塵などが端子の充電部に付着し絶縁不良を起こすことを防ぐ。【選択図】図１
0003196978.tif 000002
【実用新案登録請求の範囲】
【請求項１】
既設コンセントの受け口に、常時電源プラグ差込使用において、コンセントの受け口と差し込んだ電源プラグとの、隙間に塵などが端子の充電部に付着し絶縁不良を起こす原因を防ぐゴムキャプを設けたことを特長とする保護キャプ。
【考案の詳細な説明】
【技術分野】
【０００１】本考案は、家庭用及び一般のコンセント等の電線を電気的な事故から保護するために施設する保護キャプである。
【背景伎術】
【０００２】従来、家庭電化製品又は、機械類において、電源プラグをコンセントに常時差し込んだまま使用する場合、電源プラグの差込側とコンセント受け口側に塵などが付着するのを保護する器具類は見あたらない。
【考案の開示】
【０００３】家庭電化製品又は、機械類の電源を常時コンセントに差し込んで使用している場合、コンセント受け口と電源プラグの隙間に、埃及び塵などが積もり過負荷電流及び短絡電流から絶縁不良を起こし、熱を持った電線に接触し、火災生じる危険性がある。
【課題を解決するための手段】
【０００４】熱を持った電線の保護対策とてコンセント受け口にゴムキャプを被せて、安全性を保つ。
【考案の効果】
【０００５】コンセント受け口に、ゴムキャプを被せることによりコンセント側の端子などの充電部に、塵などの付着を防止し電線の熱に対応することによって電気的な、起こり得る諸問題を克服できる。
【考案を実地するための最良の形態】
【０００６】以下、本考案の実地の形態について説明する。
ゴムキャプ（１）の一端を突起部孔（２）とし、反対側に既設コンセント受け口（４）に被さるだけの大孔（３）を設ける、突起部孔（２）は既設電源コードの差込プラグ（５）がスムーズに挿入しやすいような収縮製のあるゴムキャプ（１）を設ける、本考案を使用するには、突起部孔（２）に既設電源プラグ（５）を挿入し既設コンセント受け口（４）に差し込む。
【実地例】
【０００７】図１を用いて、ゴムキャプの概観の説明を行う。
突起部孔（２）において既設電源差込プラグ（５）を挿入し、既設コンセント受け口（４）にプラグ（５）を差込親指と人差し指とで既設の電源コード（６）を挟み、既設コンセント受け口（４）えと移動し、コンセントのプレートにゴムキャプの大孔（３）を密着さす。
【図面の簡単な説明】
【０００８】
【図１】  本考案の斜視図
【図２】  既設コンセント正面図
【図３】  既設電源差込プラグ斜視図
【符号の説明】
【０００９】１    ゴムキャプ
２    突起部孔
３    大孔
４    既設コンセント受け口
５    既設電源差込プラグ
６    電源コード
【図１】
0003196978.tif 000003
【図２】
0003196978.tif 000004
【図３】
0003196978.tif 000005
【手続補正書】
【提出日】平成26年10月18日(2014.10.18)
【手続補正１】
【補正対象書類名】実用新案登録請求の範囲
【補正対象項目名】全文
【補正方法】変更
【補正の内容】
【実用新案登録請求の範囲】
【請求項１】
既設コンセントの受け口に、コップ型の収縮製のあるゴムキャプの底の部分に電源差込プラグが挿入できる程度の突起部孔を設ける、其の孔に既設電源コード付の差込プラグを挿入し、其のプラグを既設コンセント受け口に差込其の時点で拳に被さっているゴムキャプを片方の手の指で裏返しになるように既設コンセントに被せることにおいて、コンセントの受け口と差し込んだ電源プラグとの隙間に塵などが端子の充電部に付着し絶縁不良を起こす原因を防ぐゴムキャプを設けたことを特徴とする。
【手続補正書】
【提出日】平成27年1月30日(2015.1.30)
【手続補正１】
【補正対象書類名】実用新案登録請求の範囲
【補正対象項目名】全文
【補正方法】変更
【補正の内容】
【実用新案登録請求の範囲】
【請求項１】
既設コンセントの受け口に、コップ型の収縮製のあるゴムキャプの底の部分に電源差込プラグが挿入できる程度の突起部孔を設ける、其の孔に既設電源コード付の差込プラグを挿入し、其のプラグを既設コンセント受け口に差込其の時点で拳に被さっているゴムキャプを片方の手の指で裏返しになるように既設コンセントに被せることにおいて、コンセントの受け口と差し込んだ電源プラグとの隙間に塵などが端子の充電部に付着し絶縁不良を起こす原因を防ぐゴムキャプを設けたことを特徴とする保護キャプ。
(57)【要約】      （修正有）【課題】海上で魚釣りをする際、水深のある場所で釣れた魚を鮫に食べられること無く、無事に取り込めるようにする安価で手軽な鮫を撃退させるリングを提供する。【解決手段】本体リング１と、本体リングに設けられた乾電池装着部を備えたリング２において、本体リングに釣り糸を通し、海中に投入して沈めることにより、乾電池装着部に取り付けられた乾電池からの放電流により、本体リングの付近から鮫を撃退させる。【選択図】図１
0003196984.tif 000002
【実用新案登録請求の範囲】
【請求項１】
本体リングに釣り糸を通し、海中に投入して沈めることにより、取り付けた乾電池からの放電流により、本体リングの付近から鮫を撃退させることを目的としたリング。
【請求項２】
本体リングは主として金属製で、円もしくは楕円状の環状であり、その内側に釣り糸を容易に通すことが出来る仕組みになっている。
【請求項３】
本体リングの下部は、乾電池が容易に脱着できる仕組みになっている。
【請求項４】
本体リングはその直径の大きさにより、釣り糸上の仕掛けや、魚本体で止まるようになっている。
【考案の詳細な説明】
【技術分野】
【０００１】本考案は、海上で魚釣りをする際、釣れた魚が海中で鮫に食べられてしまうことを防止することを目的としたリングに関するものである。
【背景技術】
【０００２】海上で魚釣りをする際、釣れた魚を海中で鮫に食べられてしまわないようにする方法が考案されておらず、釣れた魚が鮫に食べられないように祈るだけでした。
【考案の概要】
【０００３】鮫には、捕食の為に小魚から発せられる超微弱な電流を感じ取る器官がある。しかし、乾電池ほどの電流を感じるとその場から逃げ出すという性質を利用して、本体リングに乾電池を取り付け、釣り糸を通し海中に投入して沈めることにより、乾電池の電流を海中に放電させ、本体リング付近の鮫を撃退し、釣れた魚を鮫に食べられずに守ることができる。
【考案が解決しようとする課題】
【０００４】海上で魚釣りをする際、水深のある場所で釣れた魚を鮫に食べられないようにする安価で手軽な方法が考案されていなかった。
【課題を解決するための手段】
【０００５】本考案では課題解決のため下記の手段を採用する。請求項１では、本体リングに容易に釣り糸が通せ、乾電池を容易に脱着出来るよう考案されている。これは、本体リングに取り付けた電池から海中に放電される電流を鮫が嫌う性質を応用したものである。請求項２では、容易に本体リングの内側に釣り糸を通すことができる仕組みになっており、また本体リングを金属にすることにより、本体リングの重量を重くして、より素早く海中深くまで沈めることが出来るように考案されている。請求項３では、本体リングに乾電池を容易に脱着出来るようにすることで、電池を取り換えて何度でも使用出来るように考案されている。請求項４では、本体リングが魚本体で止まる大きさの場合、その本体リングの重さにより魚の動きが制限され、素早く取り込みが出来るように考案されている。
【考案の効果】
【０００６】以上で説明したように、本考案は海上で魚釣りをする際、電池の放電流により本体リング付近に居る鮫を撃退し、釣れた魚が鮫に食べられることがなくなる。
【図面の簡単な説明】
【０００７】
【図１】▲１▼は、釣り糸を通すための隙間。▲２▼は、乾電池を装着するための仕組み。尚、▲１▼の釣り糸を通すための隙間の幅は、実際は釣り糸が通るほどの小さな隙間であるが、図では解りやすく説明するために大きな隙間で記載している。
【図２】本体リングの▲１▼に▲３▼の釣り糸を通し、▲２▼に▲４▼の乾電池を装着した実際に使用するの際の状態である
【符号の説明】
【０００８】▲１▼は釣り糸を通すための隙間。▲２▼は乾電池を装着するための仕組み。▲３▼は釣り糸。▲４▼は乾電池。
【考案を実施するための形態】
【０００９】本体リングは金属製であり、リングには釣り糸を内側に通せる部分があり、リング下部には乾電池を装着できる仕組みが付いている。
【実施例】
【００１０】本体リングの下部の仕組みに乾電池を装着した後、リングの隙間から釣り糸を通し海中に投入して沈め、乾電池の電流を海中に放電させる。
【産業上の利用可能性】
【００１１】大掛かりな構造や仕組みを講じること無く、簡易なリングと乾電池を携帯することで、効果を得ることが出来るので、安価で供給出来ることが可能で、具体的には釣り人や漁協従事者等に愛用してもらえる。
【図１】
0003196984.tif 000003
【図２】
0003196984.tif 000004
【手続補正書】
【提出日】平成26年12月26日(2014.12.26)
【手続補正１】
【補正対象書類名】実用新案登録請求の範囲
【補正対象項目名】全文
【補正方法】変更
【補正の内容】
【実用新案登録請求の範囲】
【請求項１】
本体リングと、本体リングに設けられた乾電池装着部を備えたリングにおいて、本体リングに釣り糸を通し、海中に投入して沈めることにより、乾電池装着部に取り付けられた乾電池からの放電流により、本体リングの付近から鮫を撃退させることを目的としたリング。
【請求項２】
前記本体リングは主として金属製で、円もしくは楕円状の環状であることを特徴とする請求項１に記載のリング。
【請求項３】
前記本体リングはその直径の大きさにより、釣り糸上の仕掛けや、魚本体で止まるようになっていることを特徴とする請求項１に記載のリング。
(57)【要約】      （修正有）【課題】屋外で腕立て伏せを行う際に、地面の凹凸に関わりなく安定的にかつ手を汚さず行うことができる安価でユニークな形状の健康器具を提供する。【解決手段】上面に片手のひらを載置可能とした円形又は楕円形状の板状基台１の裏面に下駄の前歯及び後歯を模した前脚と後脚を設け、基台の前側中央位置に設けた貫通孔５を起点として後側左右対称の位置に設けた２つの貫通孔６ａ、６ｂにそれぞれ紐２を通して裏面で結び、基台の上面を下駄の鼻緒の態様とする。貫通孔５の位置にある紐の根元に右手又は左手の人差指と中指を挟み込み基台を指で握った状態で腕立て伏せを行う。【選択図】図１
0003196990.tif 000002
【実用新案登録請求の範囲】
【請求項１】
上面に片手のひらを載置可能とした円形又は楕円形状の板状基台１の裏面に下駄の前歯及び後歯を模した前脚３と後脚４を設け、前記基台１の前側中央位置に設けた貫通孔５を起点として後側左右対称の位置に設けた２つの貫通孔６ａ、６ｂにそれぞれ紐２を通して裏面で結び、前記基台１の上面を下駄の鼻緒の態様としたことを特徴とする健康器具。
【請求項２】
前記後脚４は、前脚３の半分以下の幅とし、かつ前脚３を下向きコの字形状としたことを特徴とする請求項１記載の健康器具。
【考案の詳細な説明】
【技術分野】
【０００１】  本考案は、主に手に装着して使用する健康器具に関するものである。
【背景技術】
【０００２】  屋外で腕立て伏せを行う場合、手のひらが直接地面に触れた状態で行っていた。
【先行技術文献】
【特許文献】
【０００３】
【特許文献１】  特開２００１−５１３１４号  公報
【考案の概要】
【考案が解決しようとする課題】
【０００４】  屋外で上半身の筋肉を鍛えるため腕立て伏せを行おうと思っても手のひらが直接地面に触れることで手が汚れるため屋外での腕包て伏せは敬遠されがちであった。
そこで、本考案は、屋外で腕立て伏せを行う際に、手を汚すことなく、かつ小道具として遊び心を持って継続的に行うことのできる簡易な健康器具を提供することを目的とする。
【課題を解決するための手段】
【０００５】  上記目的を達成するために、本考案の健康器具は、上面に片手のひらを載置可能とした円形又は楕円形状の板状基台１の裏面に下駄の前歯及び後歯を模した前脚３と後脚４を設け、前記基台１の前側中央位置に設けた貫通孔５を起点として後側左右対称の位置に設けた２つの貫通孔６ａ、６ｂにそれぞれ紐２を通して裏面で結び、前記基台１の上面を下駄の鼻緒の態様としている。
【考案の効果】
【０００６】  この考案によれば、屋外で腕立て伏せを行う際に、手を汚すことなく、地面の凹凸に関わりなく安定的に行うことができ、また、外観が下駄をイメージするので小道具として遊び心を持って継続的に行える健康器具を提供することができる。
小道具を用いることによって、やる気の増加など気持ちの変化が起こる効果があり、履物としての下駄の技術を手用の健康器具に応用したことで実用的な効果が大きい。
【図面の簡単な説明】
【０００７】
【図１】本考案に係る健康器具の一実施例を示す平面図である。
【図２】本考案に係る健康器具の一実施例を示す右側面図である。
【図３】本考案に係る健康器具の一実施例を示す正面図である。
【考案を実施するための形態】
【０００８】  以下、本考案に係る健康器具の一実施の形態について、図１、図２及び図３に基づいて説明する。
基台１は、木材又は樹脂などの材質で円形又は楕円形に形成した片手のひらを載置する板状台座であり、この基台１の裏面には下駄の前歯及び後歯を模した前脚３と後脚４を設けている。
また基台１には貫通孔５、６ａ、６ｂが貫通孔５を頂点とする二等辺三角形又は正三角形の各頂点の位置関係で形成されており、貫通孔５から貫通孔６ａ、６ｂにそれぞれ紐２を通し裏面で結ぶことにより基台１の上面を下駄の鼻緒の態様としている。
【０００９】  前脚３と後脚４は、左右方向に同じ幅としてもよいが、請求項２に示すように後脚４を前脚３の半分以下の幅とし、かつ前脚３を下向きコの字形状とすれば、使用する際に地面に小石や砂などの凹凸があっても３点支持に近くなるため安定的に地面に当接することができる。
【００１０】  前脚３と後脚４は、基台１と一体で形成してもよいし、基台１に別体で取り付けてもよい。また、前脚３と後脚４の高さは、通常の下駄の高さと同程度とするが、高下駄のごとく双方高くしてもよい。
【００１１】  紐２は、使用に堪えうる材質であれば何でもよいが、外観デザインを考慮して結び紐や飾り紐、下駄の鼻緒、または皮革類を使用してもよい。
【００１２】  この健康器具の使用方法は、貫通孔５の位置にある紐２の根元に右手又は左手の人差指と中指を挟み込み、基台１の前端部から裏面に指を回して基台１を握り、この状態で腕立て伏せを行う。基台１と紐２とにより手のひらと甲側が固定されるため手と一体感を持って腕立て伏せを行うことができる。
【００１３】  上記以外の使用方法として、這いつくばった状態でワニのように歩行してもよいし、足に装着して使用してもよい。また、屋外だけでなく屋内で使用してもよい。
健康器具以外の利用方法として、イベント等での小道具として、また、基台１の上面に家紋や社章などをデザインして装飾品や記念品として利用することもできる。
【符号の説明】
【００１４】１  基台
２  紐
３  前脚
４  後脚
５  貫通孔
６ａ、６ｂ  貫通孔
【図１】
0003196990.tif 000003
【図２】
0003196990.tif 000004
【図３】
0003196990.tif 000005
(57)【要約】      （修正有）【課題】降雨時に屋内で洗濯物を干しても乾燥効率が高く、かつ晴天時には太陽光での乾燥が可能な、安価で簡易な屋内用物干し竿を提供する。【解決手段】カーテンレールに吊り下げ部材を吊り下げ、吊り下げ部材に接続した物干し竿支持部材の物干し竿支持部で物干し竿を窓ガラスに平行に設置した物干し竿において、物干し竿への荷重による力を窓ガラスに伝達して物干し竿と窓ガラスとの離間を調整する離隔調整部を、物干し竿支持部材に設けたことで、ハンガーに吊るした洗濯物を、窓ガラスと接触することなく物干し竿と直角に物干し竿に掛けることができる。洗濯物が重なることなく干せ、降雨時に洗濯物を屋内に干しても通気性が確保され乾燥効率が高まり、かつ晴天時は窓ガラスからの太陽光により乾燥することを可能とする。【選択図】図１
0003196995.tif 000002
【実用新案登録請求の範囲】
【請求項１】
カーテンレールを利用した物干し竿において、窓ガラスに平行に設置した物干し竿へ、ハンガーに吊るした洗濯物を直角に掛けることにより、洗濯物が重なることなく干せることを特徴とした、簡易な屋内用物干し竿。
【考案の詳細な説明】
【技術分野】
【０００１】
本考案は、カーテンレールを利用した屋内での物干し竿に関するものである。
【背景技術】
【０００２】
突っ張り棒等と言われている、伸縮自在のプラスティック製の棒。
【先行技術文献】
【特許文献】
【０００３】
【特許文献１】なし
【非特許文献】
【０００４】
【非特許文献１】なし
【考案の概要】
【考案が解決しようとする課題】
【０００５】
近年、共働きや単身赴任先等で昼間家を留守にすることが多い状況の中で、洗濯物を降雨等で濡れるのを避けるため、屋内で干すことが多く、この場合洗濯物が重なるなど乾燥効率が悪い。また、晴れてくれば太陽光で乾かしたい。これらを満足することが課題である。
これら課題に対応できる施設としてサンデッキ等の設置があるが、問題は高価な点にある。このため、降雨時に屋内で洗濯物を干しても乾燥効率が高く、かつ晴天時には太陽光での乾燥が可能な、安価で簡易な装置が求められるところである。
【課題を解決するための手段】
【０００６】
１  本装置の概要は、図１構造図の（離隔調整型）に示したとおり、A吊り下げ部材とその下端のB物干し竿支持部材からなる。
A吊下げ部材は、カーテンレールに吊り下げその下部で物干し竿支持部材を保持するものである。
同部材の構造は、直径約20〜24ｍｍで長さが約300〜400ｍｍの伸縮自在なプラスチック製の伸縮棒の上端にカーテンレールに吊るすためのフックが、また下端には物干し竿支持部材が接続されている。伸縮棒と上端のフックの接続は水平方向回転部で、また下端の物干し竿支持部材の接続は鉛直方向回転部で接続しており、ともにヒンジ構造となっている。
B物干し竿支持部材は、物干し竿へ吊るした洗濯物が窓ガラスに接触しないように、物干し竿の位置を調整しかつ支持するものである。同部材の構造は、所要の角度で剛結された物干し竿支持部と離隔調整部よりなる。
・物干し竿支持部は、物干し竿を支持するもので、その構造は直径約20〜24ｍｍで長さが約200〜300ｍｍの伸縮自在なプラスチック製の伸縮棒の先端に、物干し竿を支持するフックが付いたものである。
・離隔調整部は、物干し竿と窓ガラスとの離間を調整し洗濯物の窓ガラスとの接触を防ぎ、荷重反力（物干し竿への荷重による曲げモーメント等）を窓ガラスへ伝達するとともに同部材の回転を固定するもので、その構造は直径約16〜24ｍｍで長さ約100〜200ｍｍの伸縮自在なプラスチック製の伸縮棒の先端に、鉛直方向に回転可能なヒンジ構造で接続された固定部よりなる。
２  本装置の使用は、図２に示した使用例の（離隔調整型）のとおり、カーテンレールの両端に吊り下げた本装置のフックへ、軽量なプラスチック製の伸縮棒からなる物干し竿を載せ、窓ガラスと平行する物干し竿へ洗濯物を直角に掛けて干すことができる。
なお、本装置は、上下左右の長さ調整を可能とすることで、あらゆる家屋への適応性が高く、また水平および鉛直方向のヒンジ構造を有すことにより、偏荷重をキャンセルできる構造を有すものである。
また、図１構造図の（鉛直型）に示したとおり、各ヒンジ部等を回転させることにより、鉛直な吊り下げ装置として使用も可能である。その使用は、図２の（鉛直型）に示したとおり、部屋の直行する壁面のカーテンレールの両端部等へ本装置を吊り下げ、部屋の隅角部に洗濯物を斜めに干すなどの利用ができる。
【考案の効果】
【０００７】
本装置をカーテンレールの両端へ吊るし、物干し支持部材の長さを調整することにより、物干し竿を窓ガラスに対し平行に設置でき、かつハンガーに掛けた洗濯物を物干し竿に直角に掛けても、窓ガラスに接触することなく干すことができる。
これにより、洗濯物を窓ガラスに対し直角に重ならないように干すことができるため、通気性が確保できると伴に、晴天時には太陽光をまんべんなく受け乾燥することができる。
本装置により、降雨に濡れないように洗濯物を屋内に干しても、乾燥効率を高めることができ、かつ晴天時には太陽光での乾燥ができるため、サンデッキ等の設置に比べ安価かつ簡易でほぼ同等の効果が得られる。
【図面の簡単な説明】
【０００８】
【図１】図１は装置の構造図であり、左側は基本形である（離隔調整型）の、また右側はその変形である（鉛直型）の説明図である。
【図２】図２は（離隔調整型）及び（鉛直型）の使用例を平面図、立面図、断面図で示した説明図である。
【考案を実施するための形態】
【０００９】
屋外での物干し竿の乾燥効果に近づけるため、窓ガラスに固定された伸縮可能な物干し支持部材により、物干し竿を窓ガラスと平行に設置し、洗濯物を物干し竿に直角に掛けて干せるようにした。
【実施例】
【００１０】
本来、洗濯物は太陽光で乾かしたいが、共働きや単身赴任先等の留守宅で降雨が心配な場合、及び女性宅で下着を屋外へ干すと防犯上危険な場合などで、洗濯物を屋内で干さざるをえない状況での使用が想定される。
【産業上の利用可能性】
【００１１】
特記なし
【符号の説明】
【００１２】
なし
【図１】
0003196995.tif 000003
【図２】
0003196995.tif 000004
【手続補正書】
【提出日】平成27年2月16日(2015.2.16)
【手続補正１】
【補正対象書類名】実用新案登録請求の範囲
【補正対象項目名】全文
【補正方法】変更
【補正の内容】
【実用新案登録請求の範囲】
【請求項１】
カーテンレールに吊り下げ部材を吊り下げ、吊り下げ部材に接続した物干し竿
支持部材の物干し竿支持部で物干し竿を窓ガラスに平行に設置した物干し竿にお
いて、物干し竿への荷重による力を窓ガラスに伝達して物干し竿と窓ガラスとの離
間を調整する離隔調整部を、物干し竿支持部材に設けたことで、ハンガーに吊るし
た洗濯物を、窓ガラスと接触することなく物干し竿と直角に物干し竿に掛けることが
できるようにしたことにより、洗濯物が重なることなく干せることを特徴とした、簡易
な屋内用物干し竿。
(57)【要約】      （修正有）【課題】極めて構造が簡易に構成されており、使用が簡単で素早く装着でき、しかも安価な使い捨ての箸のような感覚で使用できる簡易使用補助具を提供する。【解決手段】やや軟質の合成樹脂を素材とする補助具本体を設け、該本体の両端に箸Ｘの挿入穴１ａ、１ｂを形成した挿入部と、これら両挿入穴を有する挿入部とを連結する連結部２を設けたことを特徴とする箸の簡易使用補助具から構成される。【選択図】図２
0003196949.tif 000002
【実用新案登録請求の範囲】
【請求項１】
やや軟質の合成樹脂を素材とする補助具本体（１）を設け、
該本体（１）の両端に箸（Ｘ）の挿入穴（１ａ）（１ｂ）を形成した挿入部と、
これら両挿入穴を有する挿入部とを連結する連結部（２）を設けたことを特徴とする
箸の簡易使用補助具。
【考案の詳細な説明】
【技術分野】
【０００１】
この考案は、箸の簡易使用補助具に関するものである。
【背景技術】
【０００２】
従来、食事する際に使用する箸は、東アジア地域を中心として広く用いられる食器・道具の一種であり、二本一対になった棒状のものを片手で持ち、ものを挟んで移動させるために用いられ、多くの場合、皿などの器にある料理を掴んで別の皿や自分の口に持って行くために用いられている。
【０００３】
そして、箸の使用は、幼児の頃から始め、やっと使い慣れるには小学生程度になってであり、箸の先端を使って、米飯の塊を掴んだり、めん類は挟んで口に運べるようになるものであった。
【０００４】
しかし、最近は、匙食文化圏の欧・米の人々も観光客として日本を訪れ、積極的に箸を使用して食事をしたいとする願望があり、突然、寿司や和食の店、また、ラーメン店を訪れた，箸の使用が未経験の外国人に対して、店側は戸惑うものであり、客がたて込んだ昼食時にその都度、使い方をサービスとして一々教えることも煩雑であり、また、客の方はサービスに不満足であると考えられる。
【０００５】
そもそも、従来より箸に対してその使用ができない幼児や身体の不自由な人のため、箸をうまく使用できるよう開発された補助具は、「手で使用する挟み具のための連結具」として存在している。例えば、特許文献１のように。
【先行技術文献】
【特許文献】
【０００６】
【特許文献１】特開２０１４−１１０８７７号公報
【０００７】
しかし、このような連結具は、その構造が複雑であったり、そのため、製造コストも高いものであり、観光等で短期間滞在する外国人のためには不向きなものであった。
【考案の概要】
【考案が解決しようとする課題】
【０００８】
そこで、この考案の課題は、極めて構造が簡易に構成されており、使用が簡単で素早く装着でき、しかも安価な「使い捨ての箸」のような感覚で使用できる簡易使用補助具を開発・提供することにある。
【課題を解決するための手段】
【０００９】
この考案の箸の簡易使用補助具は、
やや軟質の合成樹脂を素材とする補助具本体を設け、
該本体の両端に箸の挿入穴を形成した挿入部と、
これら両挿入穴を有する挿入部とを連結する連結部を設けたことを特徴とする。
【考案の効果】
【００１０】
この考案によると、箸の先端に挿入穴（１ａ）（１ｂ）を差し込み、箸の末端部付近にまで移動させて使用することにより、両方の箸の間隔が連結部（２）で保持できるため、箸の先端部を近づけて使用すれば、簡単・容易に使用できる等の効果を有する。
【００１１】
また、構造が簡単であり、素早く装着でき、極めて安価に製造できることにより、使用後は、簡単に使い捨ても可能である等の効果も有する。
【図面の簡単な説明】
【００１２】
【図１】この考案の一実施例を示し、（Ａ）は、平面図である。また、（Ｂ）は側面図である。
【図２】この考案の使用状態を示す斜視図である。
【考案を実施するための形態】
【００１３】
以下、この考案について詳細に説明する。尚、この考案においては、以下の記述に限定されるものではなく、この考案の要旨を逸脱しない範囲においては適宜変更可能である。
【実施例】
【００１４】
先ず、この考案の一実施例を図１，２に基づいて詳述すると、やや軟質の合成樹脂を素材とする補助具本体（１）を設け、該本体（１）の両端に箸（Ｘ）の挿入穴（１ａ）（１ｂ）を形成した挿入部と、これら両挿入穴を有する挿入部とを連結する連結部（２）を設けたことを特徴とする箸の簡易使用補助具から構成される。
【００１５】
なお、やや軟質の合成樹脂の一例としては、シリコン樹脂からなるシリコーンゴムがあり、該シリコーンゴムを素材として簡易使用補助具を設けると、多少、伸びることにより、挿入穴を、箸の径より多少小さくても適応できるし、しっかりと固定できる。尚、当然、他の種類のやや軟質の合成樹脂であってもよいものである。
【００１６】
そして、前記挿入穴（１ａ）（１ｂ）の穴径は、その一例としては、５〜７ｍｍ程度であるが、箸の径により、大小の異なるサイズのものであってもよい。
【００１７】
さらに、前記連結部（２）の長さは、その一例としては、２０ｍｍ以下であるが、使用する人の手の大きさに合わせてサイズの異なるものであってもよく、限定されるものではない。
【産業上の利用可能性】
【００１８】
この考案の箸の簡易使用補助具の技術を確立し、実施することにより、産業上利用できるものである。
【符号の説明】
【００１９】
１  補助具本体
１ａ，１ｂ  挿入穴
２  連結部
Ｘ  箸
【図１】
0003196949.tif 000003
【図２】
0003196949.tif 000004
(57)【要約】      （修正有）【課題】事故防止の為に注意喚起を行う看板を提供する。【解決手段】注意喚起を促す文章またはイラストを記した看板部２と、それを取り付ける為の取付部３を備え、看板部を注意喚起が必要な作業を行う際の目線に入るように設置する。【選択図】図１
0003196548.tif 000002
【実用新案登録請求の範囲】
【請求項１】
工事現場や工場で使用する、注意喚起を促す看板であって、
上記看板は看板部と取付部を備え、
上記看板部は端部を把持されて自立し、
上記取付部の一方は看板部を把持し、もう一方は設置箇所に固定することを特徴とする看板。
【考案の詳細な説明】
【技術分野】
【０００１】
本考案は、事故防止の為に注意喚起を行う看板に関わる。
【背景技術】
【０００２】
工事現場や工場などで、安全の為に注意喚起を促すポスターやシールを装置または壁面等に貼り付けている。
【考案の概要】
【考案が解決しようとする課題】
【０００３】
従来のポスターやシールによる注意喚起の場合、貼り付ける為の平面部が必要な為、表示できる場所が限定される。また、壁面に貼り付けた場合は、必ずしも作業時に目に入るわけではなく、注意喚起の効果が低い。
【課題を解決するための手段】
【０００４】
本考案は、上記課題を解決するために考案されたもので、注意喚起を促す文章またはイラストを記した看板部と、それを取り付ける為の取付部を備えている。上記、看板部を注意喚起が必要な作業を行う際の目線に入るように設置する。
【考案の効果】
【０００５】
本考案は、注意喚起の必要な動作の直前の目線上に注意喚起を促す看板を設置できるため、従来のポスターやシール等の平面的な表示方法と比較して効果的に注意喚起を促すことができる。
【図面の簡単な説明】
【０００６】
【図１】本実施の形態にかかる注意喚起看板の正面図である。
【図２】本実施の形態にかかる、実施形態の一つを示す図である。
【考案を実施するための形態】
【０００７】
以下図を用いて、本考案の実施の形態を説明する。図１は、本考案の形態にかかる、注意喚起看板１を正面から見た図である。注意喚起看板１は、注意を喚起する文章もしくはイラストが記載された看板部２と、上記看板部を任意の場所に取付ける取付部３とを備える。看板部２には状況に応じた文章もしくはイラストを記載すればよく、図１では左右を確認することを注意喚起する文章を記載している。また、図１で示す取付部３は、両端がクリップとなっており片方のクリップでは、看板部２を把持して、他端のクリップで任意の場所に取付ければよい。
【０００８】
図２は自動車の運転席周辺を示している。注意喚起看板１を取付部３を自動車のエアコン吹き出し口５のフィンに取り付けた場合、運転手が運転している時には注意喚起看板１が常に目線上に入り、運転手に効果的な注意喚起を行うことができる。
【０００９】
取付部３は両端がクリップで構成されたものを使用しているが、磁石や吸盤などにすれば様々な場所に取付けることができる。
【００１０】
看板部１には文字だけではなく、イラスト等を組み合わせれば、より効果的な注意喚起を行える。また、看板部の形状も変更することもできる。
【００１１】
看板部２はPPC 用紙等に文章等を印刷した後に、ラミネート加工をして作成すれば様々な注意喚起看板１を作成することができるが、端部を把持して自立できる程度の強度があればよく、厚紙や樹脂製板でもよい。
【符号の説明】
【００１２】
１  注意喚起看板
２  看板部
３  取付部
【図１】
0003196548.tif 000003
【図２】
0003196548.tif 000004
(57)【要約】      （修正有）【課題】軽石を持った手が足の裏に手が届かない方も角質が取れる角質除去マットを提供する。【解決手段】四角のバスマットの真ん中に軽石３の形をした穴を開け、軽石３を埋め込むことで軽石３が固定され、その軽石３の上部に片足をのせ前後に動かすことで角質が除去される。【選択図】図２
0003196521.tif 000002
【実用新案登録請求の範囲】
【請求項１】
四角のバスマットの真ん中に軽石の形をした穴を開け、軽石を埋め込むことで軽石が固定され、その軽石の上部に片足をのせ前後に動かすことで角質が除去されることを特徴とする角質除去マット
【考案の詳細な説明】
【技術分野】
【０００１】本考案は肥満体の方や加齢で体が固くなり軽石を持った手が足の裏まで届かない方ににも角質が取れるバスマットである。
【背景技術】
【０００２】今までは自分ではできず他の人にやってもらうしかなかった。
【考案の概要】
【考案が解決しようとする課題】
【０００３】バスマットに軽石を埋め込み固定させ、その軽石の上部で足の裏を前後に動かすことにより角質を除去することができる。
【課題を解決するための手段】
【０００４】本考案はバスマットに軽石の形に穴を開け、そこに軽石をはめ込み動かないように固定されることで解決している。
【考案の効果】
【０００５】本考案は角質除去マットに軽石を固定させ、足の裏を前後に動かすことで角質が取れ、肉体的にも精神的にも満足していただける。
【図面の簡単な説明】
【０００６】
【図１】  斜め横から見た角質がない図
【図２】  斜め横から見た軽石が埋め込まれた図
【考案を実施するための形態】
【０００７】角質除去マットを斜めから見ると、角質が角質除去マットに埋め込まれている。
【実施例】
【０００８】以下、添付図面に従って実施例を説明する。
▲１▼角質除去マット本体はバスマットに▲２▼軽石の形をした穴を開け▲３▼軽石を埋め込むことで動かないように固定され、バスマットの左側を左足で固定し、軽石の上部に右足を乗せ前後に動かすことで角質を除去することができる。
【符号の説明】
【０００９】▲１▼角質除去マット
▲２▼軽石の形をした穴
▲３▼軽石
【図１】
0003196521.tif 000003
【図２】
0003196521.tif 000004
(57)【要約】      （修正有）【課題】買物した物を手軽に低温保存しながら、使用する場所まで運ぶことができるクーラーボックスを提供する。【解決手段】保冷剤の入ったクーラーボックス本体１内に、着脱可能な容積的にぴったりの買物カゴ２を付属させる。【選択図】図１
0003196523.tif 000002
【実用新案登録請求の範囲】
【請求項１】
保冷剤を入れたク−ラ−ボックス内に、着脱可能な容積的にぴったりの買物カゴを付属させることを特徴とする買物カゴ付きク−ラ−ボックス
【考案の詳細な説明】
【技術分野】
【０００１】  本考案は、ク−ラ−ボックスの中に、ぴったり合うように、買物カゴをつけた、ク−ラ−ボックスに関するものである。
【背景技術】
【０００２】  ク−ラ−ボックスの中ににぴったり合うカゴのついた、ク−ラ−ボックスはなかった。
【考案の概要】
【考案が解決しようとする課題】
【０００３】  使用する場所から遠く離れた場所で、低温で保存しなければならない食品を購入する場合、手軽に低温保存しながら、使用する場所まで運ぶことができるク−ラ−ボックスを提供する。
【課題を解決するための手段】
【０００４】  ク−ラ−ボックスの中にぴったり合う買物カゴを付ける。
【考案の効果】
【０００５】  観光地の道の駅などに買物に寄った時、果物、豆腐、乳製品等を購入するには、低温の状態で運ばなければならない為、購入することを諦めていた例が少なくない。ク−ラ−ボックスとセットのカゴを購入者が常備していれば、買物した物をそのままカゴごとク−ラ−ボックスに入れて運べばよく、気軽に前記品物を購入することができる。また、店から遠い僻地に住む購入者は、道程を気に掛けることなく、いろいろな品物を手軽に手間をかけずに購入することができる。
【図面の簡単な説明】
【０００６】
【図１】ク−ラ−ボックスと、中に入れた着脱可能で容積的にぴったり合う買物カゴ
【考案を実施するための形態】
【０００７】  ク−ラ−ボックスの底に保冷剤を入れた後の空間に、容積的にぴったりの買物カゴを入れる。
【符号の説明】
【００８】１  ク−ラ−ボックス本体
２  中に入れる買物カゴ
【図１】
0003196523.tif 000003
(57)【要約】      （修正有）【課題】下水処理場の負担を軽減し、公害を減少させ、林業の発展に貢献する便器シートとなる水溶性又は水分解性を有する平面状シートを提供する。【解決手段】水溶性又は水解性を有する紙からなる。極めて簡単な構成で安価で、携帯も可能で、取扱い易い。【選択図】図１
0003196526.tif 000002
【実用新案登録請求の範囲】
【請求項１】
便器の開口部に対して少なくとも３０％以上の面積を有し、水溶性又は水解性を有する平面状シート。
【請求項２】
紙からなることを特徴とする請求項１に記載の平面状シート。
【請求項３】
幅方向に横断するミシン目が付されていることを特徴とする請求項１又は請求項２に記載の平面状シート
【考案の詳細な説明】
【技術分野】
【０００１】    本考案は、下水処理場の負担を軽減し、公害を減少させ、林業の発展に貢献する為に関するものである。
【背景技術】
【０００２】    昨今、地球温暖化が国際的な問題として懸念され、省資源化の要求が高まってきているのだが市販の化学薬品の使用では問題の解決に到らない。【０００３】    この問題を解決することを目的として、生分解性を有する水解性シートを採用する提案（例えば、特許文献１参照）がされているが、合成繊維と天然繊維及び再生繊維を接着結合するためのバインダー残存の問題もあり、効果としては不十分であるといわざるを得ない。
【先行技術文献】
【特許文献】
【０００３】
【特許文献１】  特許登録第３８８８６９３号  公報
【考案の概要】
【課題を解決するための手段】
【０００４】    本考案の便器シートは、水溶性又は水解性を有する紙からなり、極めて簡単な構成で扱いやすく有用な便器シートを安価にて提案する。【０００５】    洋式便器又は和式便器内に敷いて使用する水溶性又は水解性を有する紙からなる使い捨ての便器シートである。【０００６】    未使用時の形態は市販のキッチンペーパーやトイレットペーパーの様に図３に示すように、幅方向に横断するようにミシン目を入れてロール状にして袋詰もよく、ティッシュペーパーのように一枚ずつ取り出せるようにして箱詰めにしても問題はない。【０００７】    従来の水を流してブラシでこすり取る方法は何度も使うブラシに便が付着し衛生的でなく、一度で全部の汚れを取り除くことが出来るとは限らず、日本においては下水道の水は上水道の水が使われているので水の無駄使いになる。
【考案の効果】
【０００８】    一回ずつブラシで汚れを流すわずらわしさもなく、一度で紙と一緒に全部流してしまう。【０００９】    便器の内部には以外に、尿、便、又は便の飛沫が付着している。
【図面の簡単な説明】
【００１０】
【図１】  本考案の第一実施形態の平面状シートの一例を示す。
【図２】  本考案の第一実施形態の平面上シートを便器に使用した一例を示す。
【図３】  本考案の第二実施形態の平面状シートの一例を示す。
【考案を実施するための形態】
【００１１】    本考案の水溶性又は水分解性を有する平面状シート１の使用について説明すると、まず、使用者は１枚ずつ折畳まれた状態で箱又は袋の中に保管されているか、トイレットペーパーのようにミシン目３を有し巻いた状態になっている水溶性又は水分解性を有する平面状シート１を必要量取り出して使う。
【実施例】
【００１２】    又、本考案の水溶性又は水分解性を有する平面状シート１は折畳めるので携帯するのも容易で便利である。
【産業上の利用可能性】
【００１３】    本考案の水溶性又は水分解性を有する平面状シートはトイレ以外にもキッチンペーパーとして家庭や台所での使用があるばかりか、あらゆる工業的分野への応用も可能であり、下水処理場の負担を軽減し公害の減少に貢献できるものである。
【符号の説明】
【００１４】    １  本考案の水溶性又は水解性を有する平面状シート
２  便器
３  ミシン目
【図１】
0003196526.tif 000003
【図２】
0003196526.tif 000004
【図３】
0003196526.tif 000005